【手続補正書】
【提出日】平成18年2月10日(2006.2.10)
【手続補正１】
【補正対象書類名】明細書
【補正対象項目名】全文
【補正方法】変更
【補正の内容】
【書類名】  明細書
【発明の名称】  アンテナ
【特許請求の範囲】
【請求項１】  無線機筐体内に格納可能なλ／４モノポールアンテナ素子；
前記モノポールアンテナ素子を格納時に前記モノポールアンテナ素子を同軸状に格納するλ／４の長円筒状の格納導体；
中心孔を有する円筒形状であり前記中心孔で前記モノポールアンテナ素子を軸支し、前記格納導体の上端部に配設された第１絶縁体；
中心孔を有する円筒形状であり前記中心孔で前記モノポールアンテナ素子の下端部を軸支する前記格納導体の上端部に配設された第２絶縁体；
中心孔を有する円筒形状であり前記中心孔で前記モノポールアンテナ素子と摺接する前記円筒状絶縁体の内側に前記格納導体と絶縁されて配設された給電導体を有し；
前記給電導体に前記高周波電源の一方が接続され；
前記格納導体の上端部に高周波電源の他方が接続される：
アンテナ。
【請求項２】  無線機筐体内に格納可能なλ／４モノポールアンテナ素子；
前記モノポールアンテナ素子を格納時に前記モノポールアンテナ素子を同軸状に格納するλ／４の長円筒状の格納導体；
中心孔を有する円筒形状であり前記中心孔で前記モノポールアンテナ素子を軸支し、前記格納導体の上端部に配設された絶縁体；
中心孔を有する円筒形状であり前記中心孔で前記モノポールアンテナ素子の下端部を軸支する前記格納導体の上端部に配設された導体；
中心孔を有する円筒形状であり前記中心孔で前記モノポールアンテナ素子と摺接する前記円筒状絶縁体の内側に前記格納導体と絶縁されて配設された給電導体を有し；
前記給電導体に前記高周波電源の一方が接続され；
前記格納導体の上端部に高周波電源の他方が接続される：
アンテナ。
【請求項３】  無線機筐体内に格納可能なλ／４モノポールアンテナ素子；
前記アンテナ素子を格納時に前記モノポールアンテナ素子を同軸状に格納するλ／４長半円筒状の格納導体；
中心孔を有する円筒形状であり前記中心孔で前記モノポールアンテナ素子を軸支し、前記格納導体の上端部に配設された絶縁体；
中心孔を有する円筒形状であり前記中心孔で前記モノポールアンテナ素子の下端部を軸支する前記格納導体の上端部に配設された導体；
中心孔を有する円筒形状であり前記中心孔で前記モノポールアンテナ素子と摺接する前記円筒状絶縁体の内側に前記格納導体と絶縁されて配設された給電導体を有し；
前記給電導体に前記高周波電源の一方が接続され；
前記格納導体の上端部に高周波電源の他方が接続される：
アンテナ。
【請求項４】  無線機筐体内に格納可能なλ／４モノポールアンテナ素子；
前記モノポールアンテナ素子を格納時に前記モノポールアンテナ素子と並行して配置されたλ／４長の部分円筒状の２枚の導体板；
中心孔を有する円筒形状であり前記中心孔で前記モノポールアンテナ素子を軸支し、前記格納導体の上端部に配設された絶縁体；
中心孔を有する円筒形状であり前記中心孔で前記モノポールアンテナ素子の下端部を軸支する前記２枚の導体板の上端部に配設された導体；
中心孔を有する円筒形状であり前記中心孔で前記モノポールアンテナ素子と摺接する前記円筒状絶縁体の内側に前記２枚の導体板と絶縁されて配設された給電導体を有し；
前記給電導体に前記高周波電源の一方が接続され；
前記格納導体の上端部に高周波電源の他方が接続される：
アンテナ。
【請求項５】  無線機筐体内に格納可能なλ／４モノポールアンテナ素子；
前記モノポールアンテナ素子を格納時に前記モノポールアンテナ素子と並行して配置されたλ／４長の導体板；
中心孔を有する円筒形状であり前記中心孔で前記モノポールアンテナ素子を軸支し、前記格納導体の上端部に配設された絶縁体；
中心孔を有する円筒形状であり前記中心孔で前記モノポールアンテナ素子の下端部を軸支する前記導体板の上端部に配設された導体；
中心孔を有する円筒形状であり前記中心孔で前記モノポールアンテナ素子と摺接する前記円筒状絶縁体の内側に前記導体と絶縁されて配設された給電導体を有し；
前記給電導体に前記高周波電源の一方が接続され；
前記格納導体の上端部に高周波電源の他方が接続される：
アンテナ。
【請求項６】  前記導体が導体板である、請求の範囲５のアンテナ。
【請求項７】  前記導体が導体箔である、請求の範囲５のアンテナ。
【請求項８】  同軸給電体の内部導体を囲んで管状のλ／４モノポールアンテナ素子が配置され、前記同軸給電体の外部導体を囲んで管状のλ／４外套管が配置され；
前記モノポールアンテナ素子伸張時において、前記モノポールアンテナ素子の基部に前記内部導体を経由して高周波電源の一方が接続され、
前記外套管の上端部に前記外部導体を経由して高周波電源の他方が接続され；
前記モノポールアンテナ素子格納時において、前記外套管に前記内部導体を経由して前記高周波電源の一方から給電される：
アンテナ。
【請求項９】  同軸給電体の内部導体を囲んで管状のλ／４モノポールアンテナ素子が配置され、前記同軸給電体の外部導体を囲んでλ／４地線が配置され；
前記モノポールアンテナ素子伸張時において、前記モノポールアンテナ素子の基部に前記内部導体を経由して高周波電源の一方が接続され、前記地線の上端部に前記外部導体を経由して高周波電源の他方が接続され；
前記モノポールアンテナ素子格納時において、前記地線に前記内部導体を経由して前記高周波電源の一方から給電される：
アンテナ。
【発明の詳細な説明】
【０００１】
【産業上の利用分野】
本出願のアンテナは、携帯電話等の携帯型無線機に用いられるアンテナに係るものである。
【０００２】
【従来の技術】
近年、携帯無線電話等の機携帯無線機が普及しているが、これらの無線機はますます小型化が進み、それに伴って使用されるアンテナも小型化され、筐体内に格納できるように構成されている。
【０００３】
携帯無線機のアンテナとして一般的にλ／４モノポールアンテナが使用されているが、携帯無線機のアンテナは通話時には利得を大きくするために筐体外に突出して伸張された状態で使用され、不使用時には邪魔にならないように筐体内に格納された状態とされることが多い。しかし、不使用時に筐体内に格納された状態であっても呼び出しに応じる必要があるため、ＩＤの送出及び呼び出し信号の受信が可能なだけの利得が必要である。
【０００４】
図１に示されたのは、λ／４モノポールアンテナを備えた従来の無線機の断面図であり、（ａ）に示されたのはアンテナ伸長状態、（ｂ）に示されたのはアンテナ格納状態である。
この図において、１は無線機の筐体、２はλ／４アンテナ素子、３は導体又は絶縁体からなる摘み、４は給電接続部、５は絶縁体管、６は高周波電源あるいはチューナである。
なお、無線機においてアンテナは高周波電源あるいはチューナに切り替えて接続されるが、説明を簡単にするため本発明に実施例も含めて、以後の説明においてチューナへの接続は省略する。
無線機が動作中、高周波電源６は常に給電接続部４に接続されている。アンテナ素子２は給電接続部４に接触しながら無線機筐体１から伸縮可能に構成されており、給電接続部４を経由して高周波電源６に常時接続されている。
【０００５】
無線機の使用時には（ａ）に示されたようにアンテナ素子２が筐体内の絶縁管４から引き出された状態となり、不使用時には（ｂ）に示されたようにアンテナ素子２が筐体内の絶縁管４内に引き込まれた状態で格納され、（ａ）に示された伸長状態及び（ｂ）の格納状態においてはアンテナ素子２はともにλ／４モノポールアンテナとして機能する。
【０００６】
【発明の概要】
このように構成された従来のλ／４モノポールアンテナは、アンテナ伸張状態であってもアンテナ格納状態であってもλ／４モノポールアンテナとして動作するため、携帯無線機の性能にとって重要なアンテナ利得が十分でない。
【０００７】
本発明は、このように十分な利得が得られない従来のλ／４モノポールアンテナを、アンテナ格納状態ではλ／４モノポールアンテナとして動作し、アンテナ伸長状態ではλ／２ダイポールアンテナとして動作するように構成する。
【０００８】
アンテナ伸張状態ではほぼ同一軸上に反対方向に設置された２組のλ／４モノポールアンテナの中心部で、同軸ケーブルから平衡−不平衡変換して給電が行われる。すなわち給電部で最大振幅の電流分布となり、かつ２組のλ／４モノポールアンテナへの電流位相は１８０度反転しているので、同軸ケーブルから見てλ／２ダイポールアンテナとして動作する。
【０００９】
【実施例】
以下、本発明の実施例を図面を参照して説明する。
図２に示されたのは、本発明をアンテナに適用した第１実施例の無線機の断面図、（ａ）に示されたのはアンテナ伸長状態、（ｂ）に示されたのはアンテナ格納状態、（ｃ）に示されたのはアンテナ本体の断面図である。
【００１０】
この図において、１１は無線機筐体、１２は無線機筐体１１内に格納可能なλ／４アンテナ素子、１３は導体又は絶縁体からなる摘み、１６は高周波電源，１７はアンテナ素子基部、１８は給電導体、１９は円筒状のλ／４格納導体、１５は格納導体の上端部に配設され、中心孔を有する円筒形状でありその中心孔でアンテナ素子１２を軸支する第１絶縁体、２０は格納導体１９の下端部に配設され、中心孔を有する円筒形状でありその中心孔でアンテナ素子１２の下端部を軸支する第２絶縁体である。
高周波電源１６の一方が給電導体１８に接続され、他方が格納導体１９の上端部に接続されている。
【００１１】
図２（ａ）に示されたアンテナ伸長状態において、アンテナ素子基部１７に給電導体１８を経由して高周波電力の一方が供給され、格納導体１９の上端部に高周波電力の他方が供給される。
このようにして基部１７に一方の極性の高周波電力が供給されたアンテナ素子１２と上端部に他方の極性の高周波電力が供給された格納導体１９は、共働して１／２λダイポールアンテナとして動作する。
【００１２】
図２（ｂ）に示されたアンテナ格納状態において、アンテナ素子１２の基部１７が給電導体１８から離間することにより高周波電源１６の一方から切り放されるが、格納導体１９の上端部には高周波電力の他方が供給される。
このようにして上端部に高周波電力が供給された格納導体１９はλ／４モノポールアンテナとして動作するが、高周波電源１６の一方から切り放されたアンテナ素子１２はアンテナとしては動作しない。
【００１３】
図３に示されたのは、第１実施例の変形である第２実施例の無線機の断面図であり、（ａ）に示されたのはアンテナ伸長状態、（ｂ）に示されたのはアンテナ格納状態、（ｃ）に示されたのはアンテナ本体の断面図である。
【００１４】
この図において、１１は無線機筐体、１２は無線機筐体１１内に格納可能なλ／４アンテナ素子、１３は導体又は絶縁体からなる摘み、１６は高周波電源，１７はアンテナ素子基部、１８は給電導体、１９は円筒状のλ／４格納導体、１５は格納導体の上端部に配設され、中心孔を有する円筒形状でありその中心孔でアンテナ素子１２を軸支する絶縁体、６０は格納導体１９の下端部に配設され、中心孔を有する円筒形状でありその中心孔でアンテナ素子１２の下端部と接続される導電体である。
高周波電源１６の一方が給電導体１８に接続され、他方が格納導体１９の上端部に接続されている。
【００１５】
図３（ａ）に示されたアンテナ伸長状態において、アンテナ素子基部１７に給電導体１８を経由して高周波電力の一方が供給され、格納導体１９の上端部に高周波電力の他方が供給される。
このようにして基部１７に一方の極性の高周波電力が供給されたアンテナ素子１２と上端部に他方の極性の高周波電力が供給された格納導体１９は、共働してλ／２ダイポールアンテナとして動作する。
【００１６】
図３（ｂ）に示されたアンテナ格納状態において、アンテナ素子基部１７が導電体６０を介してλ／４モノポールアンテナとして動作している格納導体１９の電圧最大点に接続されることにより、格納導体１９と同様にλ／４モノポールアンテナとして動作する。
【００１７】
図４に示されたのは、第１実施例及び第２実施例の変形である第３実施例の無線機の断面図であり、（ａ）に示されたのはアンテナ伸長状態、（ｂ）に示されたのはアンテナ格納状態、（ｃ）に示されたのはアンテナ本体の断面図である。
【００１８】
この図において、１１は無線機筐体、１２は無線機筐体１１内に格納可能なλ／４アンテナ素子、１３は導体又は絶縁体からなる摘み、１６は高周波電源，１７はアンテナ素子基部、１８は給電導体、６２は半円筒状のλ／４格納導体、１５は格納導体の上端部に配設され、中心孔を有する円筒形状でありその中心孔でアンテナ素子１２を軸支する絶縁体、６１は格納導体６２の下端部に配設され、中心孔を有する円筒形状でありその中心孔でアンテナ素子１２の下端部と接続される導電体である。
高周波電源１６の一方が給電導体１８に接続され、他方が格納導体６２の上端部に接続されている。
【００１９】
図４（ａ）に示されたアンテナ伸長状態において、アンテナ素子基部１７に給電導体１８を経由して高周波電力の一方が供給され、半円筒状の格納導体６２の上端部に高周波電力の他方が供給される。
このようにして基部１７に一方の極性の高周波電力が供給されたアンテナ素子１２と上端部に他方の極性の高周波電力が供給された半円筒状の格納導体６２は、共働してλ／２ダイポールアンテナとして動作する。
【００２０】
図４（ｂ）に示されたアンテナ格納状態において、アンテナ素子基部１７が導電体６１を介してλ／４モノポールアンテナとして動作している半円筒状の格納導体６２の電圧最大点に接続されることにより、半円筒状の格納導体６２と同様にλ／４モノポールアンテナとして動作する。
なお、導電体６１に代えて絶縁体を使用することも可能であり、その場合には、アンテナ素子基部１７が給電導体１８から離間することにより高周波電源１６の一方から切り放され、アンテナ素子１２はアンテナとしては動作せず、他方の極性の高周波電力が供給された半円筒状の格納導体６２のみがλ／４モノポールアンテナとして動作する。
【００２１】
図５に示されたのは、第１実施例及び第２実施例の変形である第４実施例の無線機の断面図であり、（ａ）に示されたのはアンテナ伸長状態、（ｂ）に示されたのはアンテナ格納状態、（ｃ）に示されたのはアンテナ本体の断面図である。
【００２２】
この図において、１１は無線機筐体、１２は無線機筐体１１内に格納可能なλ／４アンテナ素子、１３は導体又は絶縁体からなる摘み、１６は高周波電源，１７はアンテナ素子基部、１８は給電導体、６３，６４は格納された状態のアンテナ素子と並行して配置されたλ／４長の部分円筒状の２枚の導体板、１５は格納導体の上端部に配設され中心孔を有する円筒形状でありその中心孔でアンテナ素子１２を軸支する絶縁体、６１は格納導体６２の下端部に配設され、中心孔を有する円筒形状でありその中心孔でアンテナ素子１２の下端部と接続される導電体である。
高周波電源１６の一方が給電導体１８に接続され、他方が部分円筒状の２枚の導体板６３，６４の上端部に接続されている。
【００２３】
図５（ａ）に示されたアンテナ伸長状態において、アンテナ素子基部１７に給電導体１８を経由して高周波電力の一方が供給され、部分円筒状の２枚の導体板６３，６４の上端部に高周波電力の他方が供給される。
このようにして基部１７に一方の極性の高周波電力が供給されたアンテナ素子１２と上端部に他方の極性の高周波電力が供給された部分円筒状の２枚の導体板６３，６４は、共働してλ／２ダイポールアンテナとして動作する。
【００２４】
図５（ｂ）に示されたアンテナ格納状態において、アンテナ素子基部１７が導電体６１を介してλ／４モノポールアンテナとして動作している２枚の導体板６３，６４の電圧最大点に接続されることにより、２枚の導体板６３，６４と同様にλ／４モノポールアンテナとして動作する。
なお、導電体６１に代えて絶縁体を使用することも可能であり、その場合には、アンテナ素子基部１７が給電導体１８から離間することにより高周波電源１６の一方から切り放され、アンテナ素子１２はアンテナとしては動作せず、他方の極性の高周波電力が供給された２枚の導体板６３，６４のみがλ／４モノポールアンテナとして動作する。
【００２５】
図６に示されたのは、第１実施例及び第２実施例の変形である第５実施例の無線機の断面図であり、（ａ）に示されたのはアンテナ伸長状態、（ｂ）に示されたのはアンテナ格納状態、（ｃ）に示されたのはアンテナ本体の断面図である。
【００２６】
この図において、１１は無線機筐体、１２はλ／４アンテナ素子、１３は導体又は絶縁体からなる摘み、１６は高周波電源，１７はアンテナ素子基部、１８は給電接続部、６５は金属板、１５は給電接続部１８と導体板６５を絶縁する絶縁体、６１はアンテナ素子基部１７を導体板６５に接続する導電体である。
高周波電源１６の一方が給電接続部１８に接続され、他方が導体板６５の上端部に接続されている。
【００２７】
図６（ａ）に示されたアンテナ伸長状態において、アンテナ素子基部１７に給電接続部１８を経由して高周波電力の一方が供給され、導体板６５の上端部に高周波電力の他方が供給される。
このようにして基部１７に一方の極性の高周波電力が供給されたアンテナ素子１２と上端部に他方の極性の高周波電力が供給された導体板６５は、共働してλ／２ダイポールアンテナとして動作する。
【００２８】
図６（ｂ）に示されたアンテナ格納状態において、アンテナ素子基部１７が導電体６１を介してλ／４モノポールアンテナとして動作している導体板６５の電圧最大点に接続されることにより、導体板６５と同様にλ／４モノポールアンテナとして動作する。
なお、導電体６１に代えて絶縁体を使用することも可能であり、その場合には、アンテナ素子基部１７が給電接続部１８から離間することにより高周波電源１６の一方から切り放され、アンテナ素子１２はアンテナとしては動作せず、他方の極性の高周波電力が供給された導体板６５のみがλ／４モノポールアンテナとして動作する。
【００２９】
導体板６５は独立支持される金属板の他に、無線機に内蔵される印刷基板上あるいは絶縁体である筐体に形成された導電パターンで構成することも可能であり、簡単な構成を採ることができる。
【００３０】
図７に示されたのは、本発明をシュペルトップアンテナに適用した第６実施例の無線機の断面図であり、（ａ）に示されたのはアンテナ伸長状態、（ｂ）に示されたのはアンテナ格納状態、（ｃ）に示されたのはアンテナ本体の断面図である。
図８は、図７のシュペルトップアンテナの部分拡大図であり、図８（ａ）は図７（ａ）の部分Ａ拡大正面図及び部分Ｂ拡大正面図、図８（ｂ）は図７（ｂ）の部分Ｃの拡大正面図及び部分Ｄの拡大正面図である。
【００３１】
これらの図において、２１は無線機筐体、２２は導体管よりなるλ／４アンテナ素子、２３は導電体からなる摘み、２４は同軸給電体の内部導体、２５は同軸給電体の外部導体、２６は高周波電源、２７はλ／４導電体外套管（シュペルトップ）、２８は外套管側導体、２９は外套管側接点、３０は高周波電源側接点、３１は給電接続部、３２は摺動接点支持絶縁体、３３は摺動接点である。
【００３２】
同軸給電体の内部導体２４の上端部外側に給電接続部３１が設けられており、管状であるアンテナ素子２２の下端部外側には摺動接点支持絶縁体３２を介して摺動接点３３が設けられている。
導電体からなる摘み２３はアンテナ素子２２と電気的に接続されており、格納時に外套管側導体２８に電気的接続が可能なように構成されている。
【００３３】
同軸給電体の外部導体の上端部の内側には、高周波電源側接点３０が設けられている。
外套管側導体２８は、同軸給電体の外部導体２５と同径でありかつ外部導体２５を延長した位置に配置されているが、外部導体２５とは離隔しており、内側に外套管側接点２９が設けられている。
高周波電源２６の一方が同軸給電体の内部導体２４に接続され、他方が同軸給電体の外部導体２５に接続されている。
【００３４】
図７（ａ）及び図８（ａ）に示されたアンテナ伸長状態において、同軸給電体の内部導体２４にアンテナ素子２２の給電接続部３１が接続されているとともに、摺動接点３３により高周波電源側接点３０と外套管側接点２９が接続される。
【００３５】
このことにより、同軸給電体の内部導体２４及び給電接続部３１を経由して高周波電力の一方がアンテナ素子２２に供給され、同軸給電体の外部導体２５、高周波電源側接点３０、摺動接点３３、外套管側接点２９及び外套管側導体２８を経由して高周波電力の他方が導電体外套管２７に供給される。
【００３６】
このようにして給電接続部３１を経由して一方の極性の高周波電力が供給されたアンテナ素子２２に対して外套管側導体２８を経由して高周波電力の他方が供給された導電体外套管２７がシュペルトップとして動作することにより、シュペルトップアンテナが構成される。
【００３７】
図７（ｂ）及び図８（ｂ）に示されたアンテナ格納状態において、アンテナ素子２２は給電接続部３１を介して同軸給電体の内部導体２４に接続されているが、アンテナ素子２２の下端部内側に設けられている摺動接点３３はアンテナ素子２２が格納されることにより移動し、高周波電源側接点３０と外套管側接点２９の接続が絶たれる。
また、アンテナ素子２２と電気的に接続された摘み２３が外套管側導体２８に接続される。
【００３８】
このことにより、同軸給電体の内部導体２４、給電接続部３１、摘み２３及び外套管側導体２８を経由して高周波電力の一方が外套管２７に供給され、外套管２７がλ／４モノポールアンテナとして動作する
【００３９】
なお、この実施例においては給電接続部３１が同軸給電体の内部導体２４の上端部外側に設けられているとして説明したが、給電接続部３１がアンテナ素子２２の下端部外側に設けることも可能である。
【００４０】
図９に示されたのは、本発明をブラウンアンテナに適用した第７実施例の無線機の断面図であり、（ａ）に示されたのはアンテナ伸長状態、（ｂ）に示されたのはアンテナ格納状態、（ｃ）に示されたのはアンテナ本体の断面図である。
図１０は、図９のブラウンアンテナの部分拡大図であり、図１０（ａ）は図９（ａ）の部分Ａ拡大正面図及び部分Ｂ拡大正面図、図１０（ｂ）は図９（ｂ）の部分Ｃの拡大正面図及び部分Ｄの拡大正面図である。
【００４１】
これらの図において、４１は無線機筐体、４２は導体管よりなるλ／４アンテナ素子、４３は導電体からなる摘み、４４は同軸給電体の内部導体、４５は同軸給電体の外部導体、４６は高周波電源、４７はλ／４地線（グラウンド）、４８は地線側導体、４９は地線側接点、５０は高周波電源側接点、５１は給電接続部、５２は摺動接点支持絶縁体、５３は摺動接点である。
【００４２】
同軸給電体の内部導体４４の上端部外側に給電接続部５１が設けられており、管状であるアンテナ素子４２の下端部外側には摺動接点支持絶縁体５２を介して摺動接点５３が設けられている。
導電体からなる摘み４３はアンテナ素子４２と電気的に接続されており、格納時に地線側導体４８に電気的接続が可能なように構成されている。
【００４３】
同軸給電体の外部導体の上端部の内側には、高周波電源側接点５０が設けられている。
地線側導体４８は、同軸給電体の外部導体４５と同径でありかつ外部導体４５を延長した位置に配置されているが、外部導体４５とは離隔しており、内側に地線側接点４９が設けられている。
高周波電源４６の一方が同軸給電体の内部導体４４に接続され、他方が同軸給電体の外部導体４５に接続されている。
【００４４】
図９（ａ）及び図１０（ａ）に示されたアンテナ伸長状態において、同軸給電体の内部導体４４にアンテナ素子４２の給電接続部５１が接続されているとともに、摺動接点５３により高周波電源側接点５０と地線側接点４９が接続される。
【００４５】
このことにより、同軸給電体の内部導体４４及び給電接続部５１を経由して高周波電力の一方がアンテナ素子４２に供給され、同軸給電体の外部導体４５、高周波電源側接点５０、摺動接点５３、地線側接点４９及び地線側導体４８を経由して高周波電力の他方が導電体地線４７に供給される。
【００４６】
このようにして給電接続部５１を経由して一方の極性の高周波電力が供給されたアンテナ素子４２に対して地線側導体４８を経由して高周波電力の他方が供給された導電体地線４７により、ブラウンアンテナが構成される。
【００４７】
図９（ｂ）及び図１０（ｂ）に示されたアンテナ格納状態において、アンテナ素子４２は給電接続部５１を介して同軸給電体の内部導体４４に接続されているが、アンテナ素子４２の下端部内側に設けられている摺動接点５３はアンテナ素子４２が格納されることにより移動し、高周波電源側接点５０と地線側接点４９の接続が絶たれる。
また、アンテナ素子４２と電気的に接続された摘み４３が地線側導体４８に接続される。
【００４８】
このことにより、同軸給電体の内部導体４４、給電接続部５１、摘み４３及び地線側導体４８を経由して高周波電力の一方が地線４７に供給され、地線４７がλ／４モノポールアンテナとして動作する
【００４９】
なお、この実施例においては給電接続部５１が同軸給電体の内部導体４４の上端部外側に設けられているとして説明したが、給電接続部５１がアンテナ素子４２の下端部外側に設けることも可能である。
【図面の簡単な説明】
【図１】
従来例の正面断面図であり、（ａ）はアンテナ伸長状態、（ｂ）はアンテナ格納状態。
【図２】
本発明第１実施例であるアンテナの断面図であり、（ａ）はアンテナ伸長状態、（ｂ）はアンテナ格納状態、（ｃ）はアンテナ本体断面構造。
【図３】
本発明第２実施例である他の構造を有するアンテナの断面図であり、（ａ）はアンテナ伸長状態、（ｂ）はアンテナ格納状態、（ｃ）はアンテナ本体断面構造。
【図４】
本発明第３実施例であるさらに他の構造を有するアンテナの断面図であり、（ａ）はアンテナ伸長状態、（ｂ）はアンテナ格納状態、（ｃ）はアンテナ本体断面構造。
【図５】
本発明第４実施例であるさらに他の構造を有するアンテナの断面図であり、（ａ）はアンテナ伸長状態、（ｂ）はアンテナ格納状態、（ｃ）はアンテナ本体断面構造。
【図６】
本発明第５実施例であるさらに他の構造を有するアンテナの断面図であり、（ａ）はアンテナ伸長状態、（ｂ）はアンテナ格納状態、（ｃ）はアンテナ本体断面構造。
【図７】
本発明第６実施例であるシュペルトップアンテナの断面図であり、（ａ）はアンテナ伸長状態、（ｂ）はアンテナ格納状態、（ｃ）はアンテナ本体断面構造。
【図８】
図７のシュペルトップアンテナの部分拡大図であり、（ａ）は図７（ａ）のシュペルトップアンテナのＡ部拡大正面図及びＢ部拡大正面図、（ｂ）は図７（ｂ）のシュペルトップアンテナのＣ部拡大正面図及びＤ部拡大正面図。
【図９】
本発明第７実施例であるブラウンアンテナの断面図であり、（ａ）はアンテナ伸長状態、（ｂ）はアンテナ格納状態、（ｃ）はアンテナ本体断面構造。
【図１０】
図９のブラウンアンテナの部分拡大図であり、（ａ）は図１０（ａ）のブラウンアンテナのＡ部拡大正面図及びＢ部拡大正面図、（ｂ）は図１０（ｂ）のブラウンアンテナのＣ部拡大正面図及びＤ部拡大正面図。
【符号の説明】
１，１１，２１，４１  筐体
２，１２，２２，４２  λ／４アンテナ素子
３，１３，２３，４３  摘み
４，１８，３１，５１  給電接続部
５  絶縁体管
６，１６，２６，４６  高周波電源
１５，２０  絶縁体
１７  アンテナ素子基部
１９  格納導体
２４  同軸給電体の内部導体
２５  外部導体
２７  導電体外套管
２８  外套管側導体
２９  外套管側接点
３０，５０  高周波電源側接点
３２  摺動接点支持絶縁体
３３，５３  摺動接点
４４  同軸給電体の内部導体
４５  外部導体
４７  導電体外套管
４８  地線側導体
４９  地線側接点
５２  摺動接点支持絶縁体
６０  導電体
６２  半円筒状導体
６３，６４  部分円筒状導体
６５  導体板